(57)【要約】      （修正有）【課題】脳梗塞などによる中枢神経麻痺等から手の指に麻陣障害が残る患者に対して好適なリハビリ器具を提供する。【解決手段】矩形状の基台１中央部に立設した支柱２の上部に、前記基台の長手方向に延びる矩形状の板材を配設し、前記板材の表面側４及び裏面側５には連動紐６ａ〜６ｅを案内する案内手段８を設け、前記案内手段を覆う透明な板材を所定の間隔を持ってそれぞれ取着してなり、かつ前記案内手段は、前記支柱に対しそれぞれ左右対称に配設され健常な手の指を挿入する指挿入部１７又は２６と麻痺した指部を挿入する指挿入部１７又は２６を先端に吊り下げた連動紐を案内するよう構成することで、前記支柱に対しそれぞれ対称に配設され、前記健常な手の指を挿入する指挿入部の上下方向への動きが他方の麻痺した指部を挿入する指挿入部と連動することで指部の動作回復を図るようにした。【選択図】図１
0003173845.tif 000002
【実用新案登録請求の範囲】
【請求項１】
矩形状の基台中央部に立設した支柱の上部に、前記基台の長手方向に延びる矩形状の保持板材を配設し、前記保持板材の表面側及び裏面側には連動紐を案内する案内手段を設け、前記案内手段を覆う透明な板部材を所定の間隔を持ってそれぞれ取着してなり、且つ前記案内手段は、前記支柱に対しそれぞれ左右対称に配設され健常な手の指を挿入する指挿入部と麻痺した指部を挿入する指挿入部を先端に吊り下げた連動紐を案内するようになっており、前記健常な手の指を挿入する指挿入部の上下方向への動きが、他方の麻痺した指部を挿入する指挿入部と連動することで指部の動作回復を図るようにしたことを特徴とするリハビリ器具。
【請求項２】
前記指挿入部は柔軟性を有するプラスチック製の短尺状の中空筒状体で、前記中空筒状体の長手方向の中央外表面には前記連動紐の結合部が形成されていることを特徴とする請求項１に記載したリハビリ器具。
【請求項３】
前記案内手段を所定の間隔を持ってそれぞれ取着されて覆う透明な板部材は、前記矩形状の板部材に対し脱着可能となっていることを特徴とする請求項１又は請求項２に記載のリハビリ器具。
【請求項４】
前記指部を挿入する左右手の指挿入部は、親指に対応する指挿入部が前記支柱側に近接した左右に設けられていることを特徴とする請求項１〜請求項３のいずれか１つに記載のリハビリ器具。
【考案の詳細な説明】
【技術分野】
【０００１】
本考案は、脳梗塞などによる中枢神経麻痺等から手の指に麻陣障害が残る患者に対して好適するリハビリ器具に係り、特に麻痺障害がある指に運動機能を回復させるために使用するリハビリ器具に関する。
【背景技術】
【０００２】
蜘蛛膜下、脳溢血或いは脳梗塞などの中枢神経麻痺を患った場合には、脳障害の結果として手の指部に麻碑障害が残ってしまう場合がある。
この場合の指の拘縮の予防、変形の矯正を行なうリハビリ手段としては、手の指の曲げ伸ばしを繰り返して徐々に指の運動機能を回復させ、脳を活性化させることで、指部の運動機能の回復をさせている。
【０００３】
従来のこのような麻痺障害に対する手の指に関するリハビリ器具としては、特開平８−１６８５０３号公報に示すように、前腕から中手指間節間関節の範囲にあてがう装具を用い、ターンバックルにより、麻痺した指を強制的に徐々に伸展させる指伸展装具が開示されている。
【０００４】
また、特開平１０−３３６０４号公報では、膨張すると平面となる風船体が組み込まれた手袋体により、空気圧で萎縮した指を緩やかに伸展させる手指部用リハビリ器具が開示されている。  
【０００５】
しかしながら、前記のようなリハビリ器具においては、麻痺により曲がった状態のままになった手や指部を強制的に伸ばすための器具である。
【０００６】
従来の指部運動のためのリハビリ器具は、麻痺した指部のみを強制的に運動回復させるための器具であって、一方の健常な指部の動きを麻痺した他方の指部に連動させて使用者の視覚・脳の活性に刺激を与えて麻痺障害になった指部の回復運動を行なうというリハビリ器具が開発されていない現状にある。  
【先行技術文献】
【特許文献】
【０００７】
【特許文献１】特開平８−１６８５０３号公報
【特許文献２】特開平１０−３３６０４号公報
【考案の概要】
【考案が解決しようとする課題】
【０００８】
本考案は、中枢神経麻痺によりほとんど指を動かすことができない患者において、患者自身が指に力を入れて曲げようとしたときに、わずかに曲がった指を第３者の力を借りずに、健常な一方の指の動きを障害のある麻痺した他方の指に伝えることで、麻痺障害のある指を簡単に伸ばすことを可能とし、指の運動を視覚的に感知して脳神経を活性化することで、徐々に指の運動機能の回復力をつけるように訓練するためのリハビリ器具を提供することにある。
【課題を解決するための手段】
【０００９】
上記目的を達成するために本考案のリハビリ器具は、矩形状の基台中央部に立設した支柱の上部に、前記基台の長手方向に延びる矩形状の保持板材を配設し、前記保持板材の表面側及び裏面側には連動紐を案内する案内手段を設け、前記案内手段を覆う透明な板部材を所定の間隔を持ってそれぞれ取着してなり、且つ前記案内手段は、前記支柱に対しそれぞれ左右対称に配設され健常な手の指を挿入する指挿入部と、麻痺した指部を挿入する指挿入部を先端に吊り下げた連動紐を案内するようになっており、前記健常な手の指を挿入する指挿入部の上下方向への動きが他方の麻痺した指部を挿入する指挿入部と連動することで指部の動作回復を図るようにしたことを特徴とするリハビリ器具である。
【００１０】
請求項２の考案は、前記請求項１に記載したリハビリ器具において、前記指挿入部は柔軟性を有するプラスチック製の短尺の中空筒状体で、前記中空筒状体の長手方向の中央外表面には前記連動紐の末端部を結合する結合部が形成されていることを特徴とするリハビリ器具である。
【００１１】
請求項３の考案は、前記請求項１に記載したリハビリ器具において、前記案内手段を所定の間隔を持ってそれぞれ取着されて覆う透明な板部材は、前記矩形状の板部材に対し脱着可能となっていることを特徴とするリハビリ器具である。
【００１２】
請求項４の考案は、前記請求項１に記載したリハビリ器具において、前記指部を挿入する左右手の指挿入部は、親指に対応する指挿入部が前記支柱側に近接した左右に設けられていることを特徴とするリハビリ器具である。
【考案の効果】
【００１３】
本考案に係るリハビリ器具は、上記構成とすることで、一方の健常な指部の動きを麻痺した他方の指部に連動させて使用者が視覚的に感知して脳神経を活性化する刺激を与えて麻痺障害になった指部の回復運動を行なうことが可能となるリハビリ器具を提供できる。
【００１４】
本考案のリハビリ器具においては、前記案内手段を所定の間隔を持ってそれぞれ取着されて覆う透明な板部材は、前記矩形状の板材に対し脱着可能となっているため案内手段によって連動する連動紐を容易に調整することが容易であり、簡単な構成で麻痺障害になった指部の回復運動を確実に行なうことが可能となる。
【図面の簡単な説明】
【００１５】
【図１】本考案のリハビリ器具の一実施態様を示す裏面側から見た全体斜視図である。
【図２】本考案のリハビリ器具の一実施態様の正面図である。
【図３】本考案のリハビリ器具の一実施態様の背面図である。
【図４】本考案のリハビリ器具の一実施態様の右側面図である。
【図５】本考案のリハビリ器具の一実施態様の使用状態を示す参考斜視図である。
【考案を実施するための最良の形態】
【００１６】
以下に、本考案に係るリハビリ器具の一実施の形態について、図面を参照して説明する。なお、本考案に係るリハビリ器具は、以下に説明する実施の形態に限定されるものではない。
【００１７】
図１は、本考案によるリハビリ器具の一実施の形態を示す全体斜視図で、板材によって長方形又は正方形状などの矩形状に形成された基台１で、基台１の中央部に立設した支柱２が固定され、前記支柱２の上部には、前記基台１と同程度の長さを有する長手方向に延びる扁平な矩形状の保持板材３が配設されており、前記保持板材３の表面側４及び裏面側５にはそれぞれ所定の間隔に位置決めする連動紐６ａ，６ｂ，６ｃ，６ｄ，６ｅを案内する回転外面に案内溝を有する回転体７からなる案内手段８が設けられている。
なお、前記保持板材材３は表，裏板を張り合わせて用いたものを示したが、表裏一体板を用いてもよいことは勿論である。
【００１８】
前記保持板材３の表面側４及び裏面側５にそれぞれ突設した前記案内手段８は、それぞれ透明部材９，１０により所定の間隔を持ってそれぞれ取着されている。  また、前記案内手段８は、前記支柱２に対しそれぞれ左右対称に配設されており、健常な手の親指１１，人指し指１２，中指１３，薬指１４，小指１５を挿入する短尺状の中空円筒体１６からなり、該中空円筒体１６の外表面の略中央部には結合部１８が形成された指挿入部１７と、麻痺した親指２１，人指し指２２，中指２３，薬指２４，小指２５を挿入する短尺状の中空円筒体１６からなる指挿入部２６を先端に吊り下げた連動紐６ａ，６ｂ，６ｃ，６ｄ，６ｅを案内するようになっている。そして、前記健常な手の指を挿入する指挿入部１７の上下方向への動きが他方の麻痺した指部を挿入する指挿入部２６と連動することで前記指挿入部１７，２６は前記支柱２に対しそれぞれ対称に配設されて指部の動作回復を図るように構成されている。
なお、前記短尺状の中空円筒体１６は、直径が２．５ｃｍ、長さが３〜４ｃｍの形状となっており、前記連動紐６ａ〜６ｅの先端に結合する突起した取付部を形成したものを示したが、前記連動紐の中空円筒体１６への結合は、前記中空円筒体１６の長手方向の略中央部上面から中空内部に貫通する取付孔を設け、前記連動紐の端部を中空円筒体１６の中空内部に貫通させて中空内部で抜け止めを行なうようにした結合部であってもよい。
【００１９】
上記構成のリハビリ器具においては、前記基台１は、剛性を有し、板状のものであればいずれでも良く、樹脂板、金属板、木板などでも良いことは勿論であり、指挿入部１７，２６は、柔軟性を有するプラスチック性のものが好適するが、例えば、中空円筒体１６の表面にゴムやスポンジなどを貼り付けられたものでも良い。また、前記短尺状の中空円筒体１６に変えてリング形状のものであってもよいことは勿論である。
【００２０】
前記連動紐６ａ，６ｂ，６ｃ，６ｄ，６ｅは、綿素材を編みこんで形成した綿紐、樹脂細材紐が好ましく、指などに損傷を与えるような細い金属線材を避けるようにしたものが好ましい。
また、前記連動紐６ａ，６ｂ，６ｃ，６ｄ，６ｅの吊り下げ長さは所望により容易に調整が可能となっている。
【００２１】
以上のように構成された本考案のリハビリ器具は、図５に示すように、前記基台１中央に立設する支柱２の左右両側に配設された指挿入部１７，２６に、例えば右手となる一方の健常な指部と麻痺した左手となる他方の指部をそれぞれ挿入するが、先ず健常な右手によって、麻痺した親指２１，人指し指２２，中指２３，薬指２４，小指２５を短尺状の中空円筒体１６の指挿入部２６に挿入し、次に健常な手の親指１１，人指し指１２，中指１３，薬指１４，小指１５を短尺状の中空円筒体１６の指挿入部１７に指を挿入する。
【００２２】
そして、指挿入部１７に挿入した親指１１，人指し指１２，中指１３，薬指１４，小指１５のいずれかを下向きに折り曲げることで、対応する連動紐２７〜３１のいずれかと連動する前記指挿入部２６に挿入した他方の麻痺した親指２１，人指し指２２，中指２３，薬指２４，小指２５のいずれかが強制的に上方向に持ち上げられることで、前記麻痺した親指２１，人指し指２２，中指２３，薬指２４，小指２５の運動機能を徐々に回復させることが出来るものである。
なお、前記運動動作は視覚的に確認できるため脳の活性力が刺激されることで、快復力を早めることが出来るものである。
【符号の説明】
【００２３】
１  基台
２  支柱
３  保持板材
４  表面側
５  裏面側
６a〜６e  連動紐
７  回転体
８  案内手段
９、１０  透明部材
１６  中空筒体
１７、２６  指挿入部
１８  結合部
【図１】
0003173845.tif 000003
【図２】
0003173845.tif 000004
【図３】
0003173845.tif 000005
【図４】
0003173845.tif 000006
【図５】
0003173845.tif 000007